(57)【要約】【課題】特定地域の特定カテゴリの店舗を網羅的にカバーする複数の店舗ＨＰを効率的に作成することができるホームページ作成サーバ及びそのホームページ作成方法並びにプログラムを提供する。【解決手段】店舗情報システム１００は、店舗管理サーバ１１０と、携帯端末１３０，１６０と、地図サーバ１４０と、デジタルカメラ１５０，１５０’とを備え、これらは全てインターネット１７０に接続される。店舗側端末１２０から受信した店舗用データに基づいて店舗専用ＨＰ１１００を作成し、当該店舗と同一地域内の他の店舗の店舗専用ＨＰ１１００があるときは、同一地域内の店舗間のリンク情報を生成し、このリンク情報について店舗専用ＨＰ１１００の更新が行われる。【選択図】　　　図１
2004070801.tif 000002
【特許請求の範囲】
【請求項１】
クライアント端末から一の店舗のデータを受信し、当該一の店舗専用のホームページを作成するホームページ作成手段を備えるホームページ作成サーバであって、
前記ホームページ作成手段は、前記一の店舗の住所と同一地域内にある他の店舗専用のホームページを既に作成しているときは、前記一の店舗専用のホームページにおいて前記他の店舗専用のホームページとのリンク情報を更新する更新手段を備えることを特徴とするホームページ作成サーバ。
【請求項２】
撮像機能を有する他のクライアント端末から撮像された店舗のデジタル画像情報を受信し、当該撮像された店舗のデジタル画像情報を含む店舗紹介用のホームページを作成する他のホームページ作成手段を更に備えることを特徴とする請求項１記載のホームページ作成サーバ。
【請求項３】
前記他のクライアント端末はユーザ登録されたものであることを特徴とする請求項２記載のホームページ作成サーバ。
【請求項４】
前記他のホームページ作成手段は、
デジタルフォトサービスにより前記店舗紹介用のホームページに含まれるデジタル画像情報と一緒にオプションを印刷する印刷手段と、
前記印刷手段により印刷するときに前記デジタルフォトサービスの料金の一部を前記撮像された店舗に課金する課金手段とを備えることを特徴とする請求項２又は３記載のホームページ作成サーバ。
【請求項５】
前記オプションは、前記撮像された店舗の名称や前記ホームページ作成手段により作成された当該店舗専用のホームページのＵＲＬを含むことを特徴とする請求項４記載のホームページ作成サーバ。
【請求項６】
前記他のクライアント端末は、前記店舗の撮像時に当該撮像した位置情報をＧＰＳ機能により測定するＧＰＳ機能を更に備え、
前記他のホームページ作成手段は、
前記他のクライアント端末で前記撮像された店舗のデジタル画像情報と、当該撮像時に測定された位置情報とを受信する受信手段と、
前記受信した位置情報に対応する前記撮像された店舗の近辺の地図画像情報及びその住所を検索する検索手段と、
前記検索された住所に対応する店舗の名称を検索する他の検索手段とを備えることを特徴とする請求項１乃至５のいずれか１項に記載のホームページ作成サーバ。
【請求項７】
前記他の検索手段は、電話帳に記載されている全ての店舗の名称、住所、電話番号を記憶する電話番号データベースから前記検索された住所に対応する店舗の名称を検索することを特徴とする請求項６記載のホームページ作成サーバ。
【請求項８】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に備え、
前記ホームページ作成サーバは、前記他のクライアント端末に入力された前記メールオプションを受信する他の受信手段と、
前記受信したメールオプションにある前記送信指定に基づき前記メールを送信するか否かを判別する判別手段と、
前記判別手段により前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信手段とを備えることを特徴とする請求項１乃至７のいずれか１項に記載のホームページ作成サーバ。
【請求項９】
クライアント端末から一の店舗のデータを受信し、当該一の店舗専用のホームページを作成するホームページ作成ステップを有するホームページ作成方法であって、
前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とするホームページ作成方法。
【請求項１０】
撮像機能を有する他のクライアント端末から撮像された店舗のデジタル画像情報を受信し、当該撮像された店舗のデジタル画像情報を含む店舗紹介用のホームページを作成する他のホームページ作成ステップを更に有することを特徴とする請求項９記載のホームページ作成方法。
【請求項１１】
前記他のクライアント端末はユーザ登録されたものであることを特徴とする請求項１０記載のホームページ作成方法。
【請求項１２】
前記他のホームページ作成ステップは、
デジタルフォトサービスにより前記店舗紹介用のホームページに含まれるデジタル画像情報と一緒にオプションを印刷する印刷ステップと、
前記印刷ステップにより印刷するときに前記デジタルフォトサービスの料金の一部を前記撮像された店舗に課金する課金ステップとを有することを特徴とする請求項１０又は１１記載のホームページ作成方法。
【請求項１３】
前記オプションは、前記撮像された店舗の名称や前記ホームページ作成ステップにより作成された当該店舗専用のホームページのＵＲＬを含むことを特徴とする請求項１２記載のホームページ作成方法。
【請求項１４】
前記他のクライアント端末は、前記店舗の撮像時に当該撮像した位置情報をＧＰＳ機能により測定するＧＰＳ機能を更に有し、
前記他のホームページ作成ステップは、
前記他のクライアント端末で前記撮像された店舗のデジタル画像情報と、当該撮像時に測定された位置情報とを受信する受信ステップと、
前記受信した位置情報に対応する前記撮像された店舗の近辺の地図画像情報及びその住所を検索する検索ステップと、
前記検索された住所に対応する店舗の名称を検索する他の検索ステップとを有することを特徴とする請求項９乃至１３のいずれか１項に記載のホームページ作成方法。
【請求項１５】
前記他の検索ステップは、電話帳に記載されている全ての店舗の名称、住所、電話番号を記憶する電話番号データベースから前記検索された住所に対応する店舗の名称を検索することを特徴とする請求項１４記載のホームページ作成方法。
【請求項１６】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、
前記ホームページ作成方法は、前記他のクライアント端末に入力された前記メールオプションを受信する他の受信ステップと、
前記受信したメールオプションにある前記送信指定に基づき前記メールを送信するか否かを判別する判別ステップと、
前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信ステップとを有することを特徴とする請求項９乃至１５のいずれか１項に記載のホームページ作成方法。
【請求項１７】
クライアント端末から一の店舗のデータを受信し、当該一の店舗専用のホームページを作成するホームページ作成ステップを有するホームページ作成方法をコンピュータに実行させるプログラムであって、
前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とするプログラム。
【請求項１８】
撮像機能を有する他のクライアント端末から撮像された店舗のデジタル画像情報を受信し、当該撮像された店舗のデジタル画像情報を含む店舗紹介用のホームページを作成する他のホームページ作成ステップを更に有することを特徴とする請求項１７記載のプログラム。
【請求項１９】
前記他のクライアント端末はユーザ登録されたものであることを特徴とする請求項１８記載のプログラム。
【請求項２０】
前記他のホームページ作成ステップは、
デジタルフォトサービスにより前記店舗紹介用のホームページに含まれるデジタル画像情報と一緒にオプションを印刷する印刷ステップと、
前記印刷ステップにより印刷するときに前記デジタルフォトサービスの料金の一部を前記撮像された店舗に課金する課金ステップとを有することを特徴とする請求項１８又は１９記載のプログラム。
【請求項２１】
前記オプションは、前記撮像された店舗の名称や前記ホームページ作成ステップにより作成された当該店舗専用のホームページのＵＲＬを含むことを特徴とする請求項２０記載のプログラム。
【請求項２２】
前記他のクライアント端末は、前記店舗の撮像時に当該撮像した位置情報をＧＰＳ機能により測定するＧＰＳ機能を更に有し、
前記他のホームページ作成ステップは、
前記他のクライアント端末で前記撮像された店舗のデジタル画像情報と、当該撮像時に測定された位置情報とを受信する受信ステップと、
前記受信した位置情報に対応する前記撮像された店舗の近辺の地図画像情報及びその住所を検索する検索ステップと、
前記検索された住所に対応する店舗の名称を検索する他の検索ステップとを有することを特徴とする請求項１７乃至２１のいずれか１項に記載のプログラム。
【請求項２３】
前記他の検索ステップは、電話帳に記載されている全ての店舗の名称、住所、電話番号を記憶する電話番号データベースから前記検索された住所に対応する店舗の名称を検索することを特徴とする請求項２２記載のプログラム。
【請求項２４】
前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、
前記プログラムは、前記他のクライアント端末に入力された前記メールオプションを受信する他の受信ステップと、
前記受信したメールオプションにある前記送信指定に基づき前記メールを送信するか否かを判別する判別ステップと、
前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信ステップとを有することを特徴とする請求項１７乃至２３のいずれか１項に記載のプログラム。
【発明の詳細な説明】
【０００１】
【発明の属する技術分野】
本発明は、ホームページ作成サーバ及びそのホームページ作成方法並びにプログラムに関し、特に、デジタルフォトサービス機能と連携し、デジタル画像情報を含むレストランや喫茶店等の店舗のホームページを作成するホームページ作成サーバ及びそのホームページ作成方法並びにプログラムに関する。
【０００２】
【従来の技術】
従来より、レストランや喫茶店等の店舗情報、例えば、店名、住所、電話番号、メニュー、地図等を紹介するホームページ（以下「店舗ＨＰ」という。）が数多く存在しており、これらの中には、当該店舗の常連客を主な対象とする電子掲示板を備えたものも少なくない（従来技術１）。ユーザがこのような店舗ＨＰで見つけた店で人と待ち合わせをする場合、このＨＰのＵＲＬ又はその店舗情報に紹介されていた店名、場所、電話番号等の文字情報を伝えるといった手段が採られていた。
【０００３】
他方、例えば、特開平１０−５６６０９号公報では、ＧＰＳ機能と通信機能を備えたデジタルビデオカメラやデジタルカメラで撮像すると、撮像した位置を示すＧＰＳ情報と撮像されたデジタル画像情報との関連づけが行われ、後にユーザがこのデジタル画像情報の１つを選択すると、この選択したデジタル画像情報に関連づけられたＧＰＳ情報から対応する地域のＨＰが参照することができる技術が開示されている（従来技術２）。
【０００４】
更に、デジタルカメラで撮影したデジタル画像情報をインターネットを介して特定の出力場所に送信し、出力するデジタルフォトサービスの技術も公知となっている（従来技術３）。デジタルフォトサービスの例としては、出先でデジタルカメラにより撮影した場合、この撮影したデジタル画像情報を自分のＰＣ等に送信し、そのＰＣに接続されるプリンタを利用して出力するものや、デジタルフォトサービスをおこなうショップに送信し、そのショップで高画質プリントしてもらうものがある。
【０００５】
また、デジタルカメラで撮影したデジタル画像情報を個人のＰＣに保管し、適宜ＣＤ−Ｒに焼いたり、添付ファイルとしてメールを作成することにより、このデジタル画像情報を公開する技術は一般によく用いられている（従来技術４）。
【０００６】
【発明が解決しようとする課題】
しかし、従来技術１によれば、各店舗ＨＰは個別に存在しており、複数の店舗ＨＰが相互にリンクする場合でも、同一地域に存在する競合店の店舗ＨＰが相互にリンクしている可能性は低い。このため、特定地域内で自分の好みの店、例えば仲間内の溜まり場になるような店や食事や飲み会の行き付けの店等を見つけるのは困難であるという問題がある。
【０００７】
また、インターネットの検索エンジンを利用して特定地域の店舗ＨＰを抽出しようとしても、無数のＨＰがヒットしてしまい、多くの「ノイズ」が含まれてしまう。例えば「横浜市＆レストラン」というキーワードで、横浜市内の店舗ＨＰを検索しても、横浜市内の店舗ＨＰを抽出するのは困難である。
【０００８】
さらに、店舗ＨＰで見つけた店で人と待ち合わせをするときに、その店舗ＨＰのＵＲＬ又はその店舗情報に紹介されていた店名、場所、電話番号等を伝えるだけでは、スムーズな待ち合わせができない場合が多い。多くの携帯電話では地図検索可能なＨＰに接続することができるため、このＨＰのＵＲＬ又はその店舗情報に紹介されていた店名、場所、電話番号等に基づいて、待ち合わせ場所である店を検索することができるが、検索のための操作が煩雑であり、また携帯電話で地図サイトを検索しようとしても、住所の入力や隣接する地図への移動や縮尺変更等は、携帯電話では煩雑な操作が必要となり実用的ではない。また、店名、場所、電話番号等の文字情報は携帯電話の画面への表示には便宜だが、文字情報だけで店に行き着くのは一般には容易ではないという問題がある。
【０００９】
また、前記従来技術２によれば、ＧＰＳ情報から対応する地域のＨＰが参照することができるようにするには、特定地域とリンクさせた店舗ＨＰをコストをかけて整備しなければならず、また、特定個人やグループの好みにあった店舗ＨＰをこのような方法で集めることは困難である。さらに、魅力ある店舗ＨＰを作成するには、多大なコストと手間がかかり、ＨＰ立ち上げ後もコンテンツ更新を維持する必要がある。この結果、魅力のある店舗が元々店舗ＨＰを有しない場合も少なくない。
【００１０】
また、前記従来技術３によれば、デジタルカメラで撮影したデジタル画像情報をデジタルフォトサービスにより出力するとき、デジタル画像情報の送信料金や出力料金が高いという問題があった。また、出先でデジタルカメラにより撮影するときに、デジタルカメラの電池が切れたり、デジタルカメラを忘れてしまうと、撮影をすることができない。店の所有するデジタルカメラを借りることができても、デジタルフォトサービスを受けることができないカメラであるときは、記憶媒体だけは店から借りる必要が生じるという問題がある。
【００１１】
さらに、前記従来技術４によれば、デジタルカメラで撮影したデジタル画像情報を公開する頻度が高くなると、その度にＣＤ−Ｒを焼いたり、メールに添付することは煩雑になる。この結果、折角のデジタル画像情報を公開することなく死蔵することにもなりかねない。また、一部だけデータが入ったＣＤ−Ｒが溜まると保管場所の確保や管理が煩雑になる。
【００１２】
また、デジタル画像情報を公開するには自分でＨＰを立ち上げるという方法も考えられるが、ＨＰの作成やデータの更新は一般に煩雑であるという問題がある。
【００１３】
本発明の目的は、第１に、特定地域の特定カテゴリの店舗を網羅的にカバーする複数の店舗ＨＰを効率的に作成することができるホームページ作成サーバ及びそのホームページ作成方法並びにプログラムを提供し、第２に、人との待ち合わせをスムーズに行うことができるメールを容易に作成できるホームページ作成サーバ及びそのホームページ作成方法並びにプログラム提供し、第３に、ＨＰ上に紹介されている店舗で撮影されたデジタル画像情報についてのデジタルフォトサービスでの印刷を低価格に行うことができ、また、デジタルカメラの持参することなくデジタルフォトサービスを受けることができるホームページ作成サーバ及びそのホームページ作成方法並びにプログラムを提供し、第４に、デジタルカメラにより撮影したデジタル画像情報を容易に公開することができ、且つ保管することできるホームページ作成サーバ及びそのホームページ作成方法並びにプログラムを提供することにある。
【００１４】
【課題を解決するための手段】
上記目的を達成するために、請求項１記載のホームページ作成サーバは、クライアント端末から一の店舗のデータを受信し、当該一の店舗専用のホームページを作成するホームページ作成手段を備えるホームページ作成サーバであって、前記ホームページ作成手段は、前記一の店舗の住所と同一地域内にある他の店舗専用のホームページを既に作成しているときは、前記一の店舗専用のホームページにおいて前記他の店舗専用ホームページとのリンク情報を更新する更新手段を備えることを特徴とする。
【００１５】
請求項２記載のホームページ作成サーバは、請求項１記載のホームページ作成サーバにおいて、撮像機能を有する他のクライアント端末から撮像された店舗のデジタル画像情報を受信し、当該撮像された店舗のデジタル画像情報を含む店舗紹介用のホームページを作成する他のホームページ作成手段を更に備えることを特徴とする。
【００１６】
請求項３記載のホームページ作成サーバは、請求項２記載のホームページ作成サーバにおいて、前記他のクライアント端末はユーザ登録されたものであることを特徴とする。
【００１７】
請求項４記載のホームページ作成サーバは、請求項２又は３記載のホームページ作成サーバにおいて、前記他のホームページ作成手段は、デジタルフォトサービスにより前記店舗紹介用のホームページに含まれるデジタル画像情報と一緒にオプションを印刷する印刷手段と、前記印刷手段により印刷するときに前記デジタルフォトサービスの料金の一部を前記撮像された店舗に課金する課金手段とを備えることを特徴とする。
【００１８】
請求項５記載のホームページ作成サーバは、請求項４記載のホームページ作成サーバにおいて、前記オプションは、前記撮像された店舗の名称や前記ホームページ作成手段により作成された当該店舗専用のホームページのＵＲＬを含むことを特徴とする。
【００１９】
請求項６記載のホームページ作成サーバは、請求項１乃至５のいずれか１項に記載のホームページ作成サーバにおいて、前記他のクライアント端末は、前記店舗の撮像時に当該撮像した位置情報をＧＰＳ機能により測定するＧＰＳ機能を更に備え、前記他のホームページ作成手段は、前記他のクライアント端末で前記撮像された店舗のデジタル画像情報と、当該撮像時に測定された位置情報とを受信する受信手段と、前記受信した位置情報に対応する前記撮像された店舗の近辺の地図画像情報及びその住所を検索する検索手段と、前記検索された住所に対応する店舗の名称を検索する他の検索手段とを備えることを特徴とする。
【００２０】
請求項７記載のホームページ作成サーバは、請求項６記載のホームページ作成サーバにおいて、前記他の検索手段は、電話帳に記載されている全ての店舗の名称、住所、電話番号を記憶する電話番号データベースから前記検索された住所に対応する店舗の名称を検索することを特徴とする。
【００２１】
請求項８記載のホームページ作成サーバは、請求項１乃至７のいずれか１項に記載のホームページ作成サーバにおいて、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に備え、前記ホームページ作成サーバは、前記他のクライアント端末に入力された前記メールオプションを受信する他の受信手段と、前記受信したメールオプションにある前記送信指定に基づき前記メールを送信するか否かを判別する判別手段と、前記判別手段により前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信手段とを備えることを特徴とする。
【００２２】
上記目的を達成するために、請求項９記載のホームページ作成方法は、クライアント端末から一の店舗のデータを受信し、当該一の店舗専用のホームページを作成するホームページ作成ステップを有するホームページ作成方法であって、前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とする。
【００２３】
請求項１０記載のホームページ作成方法は、請求項９記載のホームページ作成方法において、撮像機能を有する他のクライアント端末から撮像された店舗のデジタル画像情報を受信し、当該撮像された店舗のデジタル画像情報を含む店舗紹介用のホームページを作成する他のホームページ作成ステップを更に有することを特徴とする。
【００２４】
請求項１１記載のホームページ作成方法は、請求項１０記載のホームページ作成方法において、前記他のクライアント端末はユーザ登録されたものであることを特徴とする。
【００２５】
請求項１２記載のホームページ作成方法は、請求項１０又は１１記載のホームページ作成方法において、前記他のホームページ作成ステップは、デジタルフォトサービスにより前記店舗紹介用のホームページに含まれるデジタル画像情報と一緒にオプションを印刷する印刷ステップと、前記印刷ステップにより印刷するときに前記デジタルフォトサービスの料金の一部を前記撮像された店舗に課金する課金ステップとを有することを特徴とする。
【００２６】
請求項１３記載のホームページ作成方法は、請求項１２記載のホームページ作成方法において、前記オプションは、前記撮像された店舗の名称や前記ホームページ作成手段により作成された当該店舗専用のホームページのＵＲＬを含むことを特徴とする。
【００２７】
請求項１４記載のホームページ作成方法は、請求項９乃至１３のいずれか１項に記載のホームページ作成方法において、前記他のクライアント端末は、前記店舗の撮像時に当該撮像した位置情報をＧＰＳ機能により測定するＧＰＳ機能を更に有し、前記他のホームページ作成ステップは、前記他のクライアント端末で前記撮像された店舗のデジタル画像情報と、当該撮像時に測定された位置情報とを受信する受信ステップと、前記受信した位置情報に対応する前記撮像された店舗の近辺の地図画像情報及びその住所を検索する検索ステップと、前記検索された住所に対応する店舗の名称を検索する他の検索ステップとを有することを特徴とする。
【００２８】
請求項１５記載のホームページ作成方法は、請求項１４記載のホームページ作成方法において、前記他の検索ステップは、電話帳に記載されている全ての店舗の名称、住所、電話番号を記憶する電話番号データベースから前記検索された住所に対応する店舗の名称を検索することを特徴とする。
【００２９】
請求項１６記載のホームページ作成方法は、請求項９乃至１５のいずれか１項に記載のホームページ作成方法において、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、前記ホームページ作成方法は、前記他のクライアント端末に入力された前記メールオプションを受信する他の受信ステップと、前記受信したメールオプションにある前記送信指定に基づき前記メールを送信するか否かを判別する判別ステップと、前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信ステップとを有することを特徴とする。
【００３０】
上記目的を達成するために、請求項１７記載のプログラムは、クライアント端末から一の店舗のデータを受信し、当該一の店舗専用のホームページを作成するホームページ作成ステップをコンピュータに実行させるプログラムであって、前記ホームページ作成ステップは、前記一の店舗の住所と同一地域内にある他の店舗専用のホームページを既に作成しているときは、前記一の店舗専用のホームページにおいて前記他の店舗専用のホームページとのリンク情報を更新する更新ステップを有することを特徴とする。
【００３１】
請求項１８記載のプログラムは、請求項１７記載のプログラムにおいて、撮像機能を有する他のクライアント端末から撮像された店舗のデジタル画像情報を受信し、当該撮像された店舗のデジタル画像情報を含む店舗紹介用のホームページを作成する他のホームページ作成ステップを更に有することを特徴とする。
【００３２】
請求項１９記載のプログラムは、請求項１８記載のプログラムにおいて、前記他のクライアント端末はユーザ登録されたものであることを特徴とする。
【００３３】
請求項２０記載のプログラムは、請求項１８又は１９記載のプログラムにおいて、前記他のホームページ作成ステップは、デジタルフォトサービスにより前記店舗紹介用のホームページに含まれるデジタル画像情報と一緒にオプションを印刷する印刷ステップと、前記印刷ステップにより印刷するときに前記デジタルフォトサービスの料金の一部を前記撮像された店舗に課金する課金ステップとを有することを特徴とする。
【００３４】
請求項２１記載のプログラムは、請求項２０記載のプログラムにおいて、前記オプションは、前記撮像された店舗の名称や前記ホームページ作成手段により作成された当該店舗専用のホームページのＵＲＬを含むことを特徴とする。
【００３５】
請求項２２記載のプログラムは、請求項１７乃至２１のいずれか１項に記載のプログラムにおいて、前記他のクライアント端末は、前記店舗の撮像時に当該撮像した位置情報をＧＰＳ機能により測定するＧＰＳ機能を更に有し、前記他のホームページ作成ステップは、前記他のクライアント端末で前記撮像された店舗のデジタル画像情報と、当該撮像時に測定された位置情報とを受信する受信ステップと、前記受信した位置情報に対応する前記撮像された店舗の近辺の地図画像情報及びその住所を検索する検索ステップと、前記検索された住所に対応する店舗の名称を検索する他の検索ステップとを有することを特徴とする。
【００３６】
請求項２３記載のプログラムは、請求項２２記載のプログラムにおいて、前記他の検索ステップは、電話帳に記載されている全ての店舗の名称、住所、電話番号を記憶する電話番号データベースから前記検索された住所に対応する店舗の名称を検索することを特徴とする。
【００３７】
請求項２４記載のプログラムは、請求項１７乃至２３のいずれか１項に記載のプログラムにおいて、前記他のクライアント端末は、所定の相手に居場所を知らせるメールを送信するか否かの送信指定と、前記メールを送信する際の送信先と、前記メールに記載する挨拶やコメントとからなるメールオプションを入力する機能を更に有し、前記プログラムは、前記他のクライアント端末に入力された前記メールオプションを受信する他の受信ステップと、前記受信したメールオプションにある前記送信指定に基づき前記メールを送信するか否かを判別する判別ステップと、前記判別ステップで前記メールを送信すると判別したとき、前記受信したメールオプションにある前記挨拶やコメントと、前記検索された店舗近辺の地図画像情報及びその住所と、前記検索された店舗の名称と、前記撮像されたデジタル画像情報とを含むメールを、前記受信したメールオプションにある前記送信先に送信する送信ステップとを有することを特徴とする。
【００３８】
【発明の実施の形態】
以下、本発明の実施の形態に係るホームページ（以下「ＨＰ」という。）作成サーバを用いた店舗情報システムを図面を用いて詳説する。
【００３９】
図１は、本発明の第１の実施の形態に係る店舗情報システムのシステム構成を示す図である。
【００４０】
図１において、店舗情報システム１００は、店舗データファイル１１１及びユーザ情報ファイル１１２を有し、これらのファイルに保存されているデータに基づいて、店毎のＨＰである店舗専用ＨＰ（図６）やユーザが個人的に店を紹介するためのＨＰである店舗紹介ＨＰ（図７）を作成する店舗管理サーバ１１０と、店舗専用ＨＰの作成に用いる店舗側端末１２０と、ユーザ登録処理（図９）、店舗紹介ＨＰ更新・作成処理（図１４）、オプション印刷処理（図１２）、居場所メール作成処理（図１８）等に用いられる携帯端末１３０と、携帯端末１３０からの居場所メールを受信したり、店舗紹介ＨＰの閲覧をする携帯端末１６０と、地図データファイル１４１を有し、店の位置情報又は店の住所からその店周辺の地図のデジタル画像情報（以下「地図データ」という）を検索する地図サーバ１４０と、通信機能及びＧＰＳ機能を備えるデジタルカメラ１５０，１５０’とを備え、これらは全てインターネット１７０を介して互いに接続されている。この店舗側端末１２０及びデジタルカメラ１５０は、店舗専用ＨＰや店舗紹介ＨＰが作成される店舗の所有物であり、また、携帯端末１３０及びデジタルカメラ１５０’は、後述するユーザ登録処理を行うユーザの所有物である。
【００４１】
店舗データファイル１１１は、店毎にその基本情報（店名、所在地、電話番号）や店舗追加データ（営業時間、メニューと価格、メニュー画像、メニュー説明、店舗写真、店側のコメント等）が記録されている。
【００４２】
ユーザ情報ファイル１１２は、ユーザ毎にそのユーザＩＤ、パスワード、氏名、性別、年齢、店舗紹介ＨＰの公開方法の設定、個人又はグループに属する者の氏名と携帯電話番号等が記録されている。
【００４３】
地図データファイル１４１は、位置情報、住所、地図データのそれぞれに関連付けされた状態で記録されている。
【００４４】
図２は、図１における店舗管理サーバ１１０のハードウェア構成を示す図である。
【００４５】
図２において、店舗管理サーバ１１０は、ＣＰＵ２１、ＲＡＭ２２、ＲＯＭ２３、ＬＡＮアダプタ２４、ビデオアダプタ２５、キーボード２６、マウス２７、ハードディスク２８、及びＣＤ−ＲＯＭドライブ２９を備え、これらは全てシステムバス２０を介して互いに接続されている。システムバス２０は例えばＰＣＩバス、ＡＧＰバス、メモリバス等を意味する。また、図２では、各バス間の接続用チップやキーボードインタフェースやいわゆるＳＣＳＩやＡＴＡＰＩのような入出力用インタフェースは省略されている。
【００４６】
ＣＰＵ２１は、オペレーションシステムのプログラムやアプリケーションプログラムに基づいて四則演算や比較演算等の各種の演算や、ハードウェアの制御を行う。ＲＡＭ２２には、ハードディスク２８やＣＤ−ＲＯＭドライブ２９に装着されたＣＤ−ＲＯＭやＣＤ−Ｒ等の記憶媒体から読み出されたオペレーションシステムのプログラムやアプリケーションプログラムが記憶され、これらはＣＰＵ２１の制御の元に実行される。さらに、ＲＡＭ２２は、店舗データファイル１１１及びユーザ情報ファイル１１２に各種データを記録する。
【００４７】
ＲＯＭ２３は、オペレーションシステムと協働してハードディスク等への入出力を司るいわゆるＢＩＯＳ等を記憶する。ＬＡＮアダプタ２４は、ＣＰＵ２１によって制御されるオペレーションシステムの通信プログラムと協働してネットワークを介した外部との通信を行う。ビデオアダプタ２５はディスプレイ装置に出力するデジタル画像情報を生成し、キーボード２６やマウス２７は情報処理装置への指示を入力するために用いられる。
【００４８】
ハードディスク２８は、オペレーションシステムやアプリケーションプログラムや、店舗データファイル１１１及びユーザ情報ファイル１１２に各種データ等を記録しており、これらの一部は適宜、ＲＡＭ２２にロードされる。
【００４９】
ＣＤ−ＲＯＭドライブ２９はＣＤ−ＲＯＭやＣＤ−ＲやＣＤ−Ｒ／Ｗ等の記憶媒体を装着してアプリケーションプログラムをハードディスク２８にインストールするのに用いる。なおＣＤ−ＲＯＭドライブ２９の代わりにＣＤ−ＲドライブやＣＤ−Ｒ／ＷドライブやＭＯドライブ等を用いても良いのは言うまでもない。
【００５０】
また、地図サーバ１４０（図３）は、店舗管理サーバ１１０と基本的に同じであるが、店舗管理サーバ１１０のＲＯＭ２３が店舗データファイル１１１やユーザ情報ファイル１１２を記憶するのに対し、ＲＯＭ２３’は地図データファイル１４１を記憶する点が異なる。以下、地図サーバ１４０の構成要素と店舗管理サーバ１１０とが同一の構成要素には符号に「’」を付し、重複した説明は省略する。
【００５１】
図４は、図１における携帯端末１３０のハードウェア構成を示す図である。
【００５２】
尚、携帯端末１６０は、携帯端末１３０と同一のハードウェア構成を有しているため、以下携帯端末１３０についてのみ説明し、重複した説明を省略する。また、本実施の形態において、携帯端末１６０は、携帯端末１３０と同一の構成を有するものとしているが、携帯端末１３０からの居場所メール（図１９）を受信したり、店舗専用ＨＰ（図６）や店舗紹介ＨＰ（図７）の閲覧をする機能があればこれに限定されるわけではなく、例えばパソコンやＰＤＡ等であってもよい。
【００５３】
携帯端末１３０は、インターネット１７０を介してデータを送受信するための送受信部１３００、ユーザ登録等の入力を行うボタン等のハードウェアと入力用プログラムからなる入力部１３０１、及び各種情報を表示するためのディスプレイや液晶パネルから構成される表示部１３０２を備える。
【００５４】
また、本実施の形態に係るインターネット１７０は、ＬＡＮやＷＡＮや電話回線、専用デジタル回線、ＡＴＭやフレームリレー回線、通信衛星回線、ケーブルテレビ回線、データ放送用無線回線等のいずれか、またはこれらの組み合わせにより実現されるいわゆる通信ネットワークであり、およそデータの送受信が可能であれば良く、端末装置１３０から店舗管理サーバ１１０への通信手段と地図サーバ１４０から端末装置１３０への通信手段が異なっていても良い。
【００５５】
例えば、地図サーバ１４０から端末装置１３０へのデータ送信はデータ放送用無線回線を使用し、端末装置１３０から店舗管理サーバ１１０へのデータ送信は電話回線を用いても良い。
【００５６】
図５は、本発明の第１の実施の形態に係る店舗専用ＨＰ作成処理のフローチャートである。
【００５７】
図５において、店舗側端末１２０がステップＳ５０１の処理を行い、店舗管理サーバ１１０がステップＳ５１０〜Ｓ５１６の処理を行い、地図サーバ１４０がステップＳ５２１〜Ｓ５２３の処理を行う。
【００５８】
まず、店の基本情報及び店舗追加データから成る店舗用データが店舗側端末１２０から店舗管理サーバ１１０に送信される（ステップＳ５０１）。
【００５９】
店舗管理サーバ１１０は、この店舗用データを受信すると（ステップＳ５１０）、この店舗の店舗専用ＨＰ用データとして店舗データファイル１１１に保存した後、当該店舗の店舗専用ＨＰを作成し（ステップＳ５１１）、地図サーバ１４０に当該店舗の店舗住所データを送信する（ステップＳ５１２）。店舗住所データとは、店舗データファイル１１１に保存されている店舗の住所を示すデータをいう。
【００６０】
地図サーバ１４０は、店舗管理サーバ１１０から店舗住所データを受信すると（ステップＳ５２１）、地図データファイル１４１から当該店舗住所データをキーにして地図データファイル１４１内の地図データを検索し（ステップＳ５２２）、地図データファイル１４１内の当該地図データの保存先のみを地図リンク情報として店舗管理サーバ１１０に送信する（ステップＳ５２３）。このとき、地図リンク情報を店舗管理サーバ１１０に送信するのでなく、地図データそのものを送信することとしても良い。
【００６１】
店舗管理サーバ１１０は、地図サーバ１４０から地図リンク情報を受信すると（ステップＳ５１３）、店舗データファイル１１１に当該店舗の地図リンク情報として記録すると共に、ステップＳ５１１で作成した店舗専用ＨＰと当該地図データとのリンクを生成する（ステップＳ５１４）。これにより、店舗近辺の地図が表示される店舗専用ＨＰを容易に作成することができる。
【００６２】
次に、当該店舗と同一地域内の他の店舗の店舗専用ＨＰがあるか否かを判別する（ステップＳ５１５）。この判別は、具体的には、店舗データファイル１１１内に当該店舗の住所と近い店舗の店舗専用ＨＰ用データがあるか否かを検索することにより行う。
【００６３】
ステップＳ５１５の判別の結果、他の店舗の店舗専用ＨＰがないときは直接、あるときは同一地域内の店舗として検索された店舗間のリンク情報を生成し、この生成されたリンク情報は、店舗データファイル１１１内の当該店舗専用ＨＰ用データに保存されると共に、このリンク情報についてステップＳ５１１で作成された店舗専用ＨＰの更新が行われ（ステップＳ５１６）、本処理を終了する。
【００６４】
本処理によれば、店舗側端末１２０から受信した店舗用データに基づいて店舗専用ＨＰを作成し（ステップＳ５１１）、当該店舗と同一地域内の他の店舗の店舗専用ＨＰがあるときは（ステップＳ５１５でＹＥＳ）、同一地域内の店舗間のリンク情報を生成し（ステップＳ５１６）、このリンク情報についてステップＳ５１１で作成された店舗専用ＨＰの更新が行われるので（ステップＳ５１６）、特定地域の特定カテゴリの店舗を網羅的にカバーする複数の店舗ＨＰを効率的に作成することができる。
【００６５】
以下、図５の処理により作成される店舗専用ＨＰについて説明する。
【００６６】
図６は、図５の処理により作成される店舗専用ＨＰを示す図である。
【００６７】
図６において、店舗専用ＨＰ１１００は、図５の店舗専用ＨＰ作成処理において店舗毎に店舗専用ＨＰ用データとして店舗データファイル１１１内に保存されるデータに基づいて作成されるＨＰであって、店名、所在地、電話番号を記載する基本情報記載部１１０１と、営業時間や営業日を記載する営業時間等記載部１１０２と、押下により店の地図データを表示するマップボタン１１０３と、押下によりメニューやその価格、画像、説明等を表示するメニュー一覧ボタン１１０４と、押下により当該の店舗のおすすめ情報を表示する店長おすすめボタン１１０５と、店舗写真を表示する画像表示部１１０６と、押下により当該レストランについての常連によるコメントを表示する常連掲示板ボタン１１０７と、押下により図２１に示す同一カテゴリ一覧を表示する同カテゴリ一覧ボタン１１０８とを備える。
【００６８】
マップボタン１１０３の押下により表示される地図データとは、具体的には、図５のステップＳ５１４の処理により店舗専用ＨＰ１１００とのリンクが生成された地図サーバ１４０内の地図データである。
【００６９】
また、常連掲示板ボタン１１０７は、当該店舗専用ＨＰ１１００にアクセスした者が自由に記載したコメントを表示するものである。
【００７０】
さらに、同カテゴリ一覧ボタン１１０８の押下により表示される同一カテゴリ一覧（図２１）には、店舗専用ＨＰ１１００で紹介する店舗と同一地域内にある店舗が表示される。この表示されている店舗は、図５のステップＳ５１６の処理により店舗専用ＨＰ１１００とのリンクが生成されているものであり、表示されている店舗名の部分を選択するとその店舗の店舗紹介ＨＰが表示される。
【００７１】
次に、ユーザが個人的に店を紹介するためのＨＰである店舗紹介ＨＰについて説明する。
【００７２】
図７は、店舗紹介ＨＰを示す図である。
【００７３】
店舗紹介ＨＰは、ユーザ登録処理（図９）がされているユーザ毎に店舗紹介ＨＰ作成・更新処理（図１４）により作成・更新されるＨＰであり、このＨＰにアクセスした者によってその表示内容を変化させるＨＰである。具体的には、このＨＰにアクセスした者がこのＨＰのユーザが公開先として設定している者であるときは、後述する操作ボタン群１４０７は表示しない公開先用店舗紹介ＨＰが表示される。一方、このＨＰにアクセスした者がこのＨＰのユーザ自身であるときは、操作ボタン群１４０７を含むすべてが表示されたユーザ専用店舗紹介ＨＰが表示される。以下、ユーザ専用店舗紹介ＨＰについて説明し、公開先用店舗紹介ＨＰについての重複した説明を省略する。
【００７４】
図７において、店舗紹介ＨＰは、このＨＰのユーザ名を記載するユーザ名記載部１４０１と、このＨＰで紹介する店舗名を記載する店舗名記載部１４０２と、デジタルカメラ１５０，１５０’により撮影されたデジタル画像情報を添付する撮影画像添付部１４０３と、押下によりこのＨＰで紹介する店舗についてのユーザのコメントを表示する「店へのコメント」ボタン１４０４と、押下により設定された公開先に仲間への連絡メールを送信する「仲間への連絡」ボタン１４０５と、押下によりこのユーザの他の店舗紹介ＨＰ一覧を表示する「〜さんのお気に入りの店」ボタン１４０６と、ユーザがこの店舗紹介ＨＰの編集を行うための各種ボタンからなる操作ボタン群１４０７とを備える。なお、店舗名記載部１４０２をその店舗自身が作成・運営しているＨＰとリンクする店舗ＨＰリンクボタン１４０２’にしてもよい。このようにすることによって、ユーザはこの店舗ＨＰリンクボタン１４０２’を押下するだけで、容易にその店舗自身が運営しているＨＰにアクセスすることができる。
【００７５】
尚、「仲間への連絡」ボタン１４０５は、公開先を限定しない一般公開としている場合は送信できないように反転表示されている。また、押下により送信される仲間への連絡メールには、この店舗紹介ＨＰのＵＲＬが記載される。
【００７６】
また、「〜さんのお気に入りの店」ボタン１４０６の「〜」の部分は、ユーザ名記載部１４０１に記載されたユーザ名となる。例えば、ユーザ名記載部１４０１に「Ａ山Ｂ子」との記載があったときは、「Ａ山Ｂ子さんのお気に入りの店」ボタン１４０６という表示となる。
【００７７】
操作ボタン群１４０７は、押下により撮影画像添付部１４０３に添付されたデジタル画像情報の編集が可能な撮影画像一覧のＨＰ（図１１）を表示する画像編集ボタンや、押下により画像編集後のデジタル画像情報に更新する画像更新ボタンや、押下によりユーザによるコメント文の入力が可能な状態とするコメント入力ボタンや、ユーザ登録ＨＰ（図１０）を表示して公開先である携帯番号の登録及び更新を行う登録／更新ボタンや、押下により操作ボタン群１４０７の押下により行われた処理をキャンセルするキャンセルボタンや、押下により店舗紹介ＨＰの編集を終了する終了ボタンを備える。
【００７８】
図８は、図７の店舗紹介ＨＰ表示処理のフローチャートである。
【００７９】
図８において、店舗管理サーバ１１０がステップＳ７０１〜Ｓ７０７の処理を行い、携帯端末１３０がステップＳ７１０〜Ｓ７１８の処理を行う。
【００８０】
まず、アクセス情報が携帯端末１３０から店舗紹介ＨＰの一つに送信され（ステップＳ７１０）、店舗管理サーバ１１０が店舗紹介ＨＰの一つにアクセス情報が送信されたことを検出すると（ステップＳ７０１でＹＥＳ）、ユーザＩＤとパスワードの入力部分を有するアクセス画面表示情報が携帯端末１３０に送信される（ステップＳ７０２）。
【００８１】
携帯端末１３０は、このアクセス画面表示情報を受信すると（ステップＳ７１１）、その表示部１３０２にアクセス画面を表示する（ステップＳ７１２）。
【００８２】
携帯端末１３０は、このアクセス画面に基づいてユーザＩＤとパスワードの入力があると（ステップＳ７１３でＹＥＳ）、この入力されたユーザＩＤとパスワードをステップＳ７１０でアクセスした店舗紹介ＨＰに返送する（ステップＳ７１４）。
【００８３】
店舗管理サーバ１１０がステップＳ７０１でアクセス情報が送信されたことを検出した店舗紹介ＨＰにこの入力されたユーザＩＤとパスワードが送信されたことを検出すると（ステップＳ７０３でＹＥＳ）、この送信されたユーザＩＤが、この店舗紹介ＨＰのユーザ又は公開先として設定されている者のユーザＩＤであるか否かを判別することにより、この店舗紹介ＨＰのユーザ又は公開先からのアクセスであるか否かを判断し（ステップＳ７０４）、その結果、この店舗紹介ＨＰのユーザ又は公開先からのアクセスではないとき、ユーザＩＤの入力ミスと判断し、ステップＳ７０２からの処理を再度行う。
【００８４】
一方、ステップＳ７０４の判断の結果、当該店舗紹介ＨＰのユーザ又は公開先からのアクセスであるときは、入力されたユーザＩＤとパスワードがこの店舗紹介ＨＰのユーザのものであるか否かを判別することにより、この店舗紹介ＨＰのユーザからのアクセスであるか否かを判断し（ステップＳ７０５）、その結果、ユーザからのアクセスであるときはユーザ専用店舗紹介ＨＰ表示情報を携帯端末１３０に送信し（ステップＳ７０６）、ユーザからのアクセスでないときは、公開先用店舗紹介ＨＰ表示情報を携帯端末１３０に送信する（ステップＳ７０７）。
【００８５】
携帯端末１３０は、ユーザ専用店舗紹介ＨＰ表示情報を受信すると（ステップＳ７１５）、その表示部１３０２にユーザ専用店舗紹介ＨＰを表示する（ステップＳ７１６）。一方、公開用店舗紹介ＨＰ表示情報を受信すると（ステップＳ７１７）、その表示部１３０２に公開用店舗紹介ＨＰを表示する（ステップＳ７１８）。
【００８６】
尚、上記処理は、店舗紹介ＨＰが限定された者に公開されている場合の処理であり、一般公開されている場合は、ステップＳ７０１でアクセス情報が送信されたことを検出すると、アクセス情報を送信することなく、公開先用店舗紹介ＨＰ表示情報を携帯端末１３０に送信する。
【００８７】
また、この公開先用店舗紹介ＨＰには、この店舗紹介ＨＰのユーザのユーザＩＤ及びパスワードを入力する部分があり、この部分へのユーザＩＤ及びパスワードの入力があったときは、この入力情報が携帯端末１３０からステップＳ７０１でアクセスした店舗紹介ＨＰに送信され、ステップＳ７０３以降の処理が行われる。
【００８８】
尚、この処理は、携帯端末１３０でなく、携帯端末１６０が行ってもよい。但し、携帯端末１６０は以下のユーザ登録処理（図９）を行わないため、ステップＳ７０５の判別によりステップＳ７０７以降の処理が行われる。
【００８９】
本処理によれば、店舗紹介ＨＰの表示画面の制御を確実に行うことができる。
【００９０】
図９は、ユーザ登録処理のフローチャートである。
【００９１】
図９において、携帯端末１３０がステップＳ６１０〜Ｓ６１８の処理を行い、店舗管理サーバ１１０がステップＳ６０１〜Ｓ６０８までの処理を行う。尚、本処理で携帯端末１３０が行う処理は、デジタルカメラ１５０又はデジタルカメラ１５０’が行うこととしてもよい。
【００９２】
まず、携帯端末１３０からユーザ登録要求が店舗管理サーバ１１０に送信される（ステップＳ６１０）。
【００９３】
店舗管理サーバ１１０は、このユーザ登録要求を受信すると（ステップＳ６０１）、ユーザＩＤとパスワードの入力部分を有するユーザ登録画面表示情報が携帯端末１３０に送信する（ステップＳ６０２）。
【００９４】
携帯端末１３０がこのユーザ登録画面表示情報を受信すると（ステップＳ６１１）、携帯端末１３０の表示部１３０２にユーザ登録画面が表示される（ステップＳ６１２）。
【００９５】
携帯端末１３０は、このユーザ登録画面に基づいてユーザＩＤとパスワードの入力があったときに（ステップＳ６１３でＹＥＳ）、この入力されたユーザＩＤとパスワードを店舗管理サーバ１１０に送信する（ステップＳ６１４）。
【００９６】
店舗管理サーバ１１０は、この入力されたユーザＩＤとパスワードを受信すると（ステップＳ６０３）、この入力されたユーザＩＤ及びパスワードをユーザ情報ファイル１１２に登録する（ステップＳ６０４）。
【００９７】
次に、当該ユーザ用のユーザ登録ＨＰ（図１０）を作成すると共に（ステップＳ６０５）、そのユーザ登録ＨＰ表示情報を携帯端末１３０に送信する（ステップＳ６０６）。
【００９８】
携帯端末１３０は、このユーザ登録ＨＰ表示情報を受信すると（ステップＳ６１５）、その表示部１３０２にユーザ登録ＨＰを表示する（ステップＳ６１６）。このユーザ登録ＨＰの表示に基づいて、ユーザ登録ＨＰ用データが入力されると（ステップＳ６１７でＹＥＳ）、この入力されたユーザ登録ＨＰ用データが表示情報が携帯端末１３０から店舗管理サーバ１１０に送信される（ステップＳ６１８）。
【００９９】
店舗管理サーバ１１０は、この編集されたユーザ登録ＨＰ用データを受信すると（ステップＳ６０７）、このユーザ登録ＨＰ用データをユーザ情報ファイル１１２に保存すると共に、ステップＳ６０５で作成されたユーザ登録ＨＰを更新し（ステップＳ６０８）、本処理を終了する。
【０１００】
図１０は、図９のステップＳ６０５で作成されるユーザ登録ＨＰを示す図である。
【０１０１】
図１０において、ユーザ登録ＨＰ１２００は、ユーザＩＤ記載部１２０１、パスワード記載部１２０２、氏名記載部１２０３、性別選択部１２０４、年齢選択部１２０５、公開方法選択部１２０６、限定公開する際の個人の登録／選択を行う登録／選択（個人）ボタン１２０７、限定公開する際の個人として選択された個人名を表示する公開個人名表示部１２０８、限定公開する際のグループ名の登録／選択を行う登録／選択（グループ）ボタン１２０９と、限定公開する際のグループとして選択された公開グループ名を表示する公開グループ名表示部１２１０、このユーザ登録の登録／更新時に押下する登録／更新ボタン１２１１、このユーザ登録のキャンセル時に押下するキャンセルボタン１２１２、及びこのユーザ登録の終了時に押下する終了ボタン１２１３を備える。
【０１０２】
ユーザＩＤ及びパスワードは、ユーザ登録処理（図９）によって設定され、その後、店舗紹介ＨＰ表示処理（図８）において、このユーザ登録時に設定されたユーザＩＤ及びパスワードがチェックされる。このユーザＩＤは、携帯端末１３０の電話番号、デジタルカメラ１５０のシリアル番号等、ユーザを特定するものであればよい。
【０１０３】
公開方法選択部１２０６は、店舗紹介ＨＰ毎にその店舗紹介ＨＰが誰でも見うる一般公開とするか、ユーザが選択した個人又はグループにのみが見うる限定公開とするかを、左のボックスを選択してレ点を付けることにより行う部分である。このとき、一般公開が選択された場合、限定公開（個人）及び限定公開（グループ）の夫々の左にあるボックスは反転し選択不可能となる。逆に、限定公開（個人）又は限定公開（グループ）の少なくとも１つが選択された場合、一般公開の左にあるボックスが反転し選択不可能となる。
【０１０４】
従って、例えば、「レストラン×△○」の店舗紹介ＨＰが限定公開となっているときは、図７の店舗紹介ＨＰ処理において当該店舗紹介ＨＰにアクセスした者のうち、この店舗紹介ＨＰの限定公開先であることが認証された者だけが、この店舗紹介ＨＰの内容を閲覧することができる。
【０１０５】
登録／選択（個人）ボタン１２０７は、押下により限定公開する際の個人の個人名及びその電話番号の登録／選択を行う画面を表示する。
【０１０６】
また、公開方法選択部１２０６で限定公開が選択されているときに、登録した個人から限定公開する者を選択する。
【０１０７】
公開個人名表示部１２０８は、登録／選択（個人）ボタン１２０７により限定公開する者として選択された個人名を表示するものであり右脇の「▼」部を選択すると、選択された個人名を一覧することができる。
【０１０８】
登録／選択（グループ）ボタン１２０９は、押下により限定公開する際のグループのグループ名、そのグループに所属する個人名、及びその電話番号の登録／選択を行う画面を表示する。
【０１０９】
また、公開方法選択部１２０６で限定公開が選択されているとき、登録したグループから限定公開するグループを選択することができるようになっている。
【０１１０】
公開グループ名表示部１２１０は、登録／選択（グループ）ボタン１２０９により限定公開するグループとして選択されたグループ名を表示するものであり右脇の「▼」部を選択すると、選択されたグループ名を一覧することができる。
【０１１１】
次に、ユーザ専用店舗紹介ＨＰ（図７）の操作ボタン群１４０７にある画像編集ボタンが押下されると表示される撮影画像一覧ＨＰ上で行われるオプション印刷処理について説明する。
【０１１２】
図１１は、図７のユーザ専用店舗紹介ＨＰの画像編集ボタンの押下により表示される撮影画像一覧のＨＰを示す図である。
【０１１３】
図１１において、撮影画像一覧のＨＰ１５００は、図７の撮影画像添付部１４０３に添付されていた各撮影画像１５０１と、その各撮影画像１５０１の下にその撮影番号を記載する部分１５０２及び選択するとレ点が付される選択ボックス１５０３とを備える。
【０１１４】
また、選択された撮影画像１５０１についてトリミング、色補正、並び替え、削除、コメント追加等を行うボタンや、押下により選択された撮影画像１５０１のオプション印刷処理（図１２）を開始するオプション印刷ボタンや、各撮影画像１５０１の編集が終了した後に押下すると図７の店舗紹介ＨＰに戻る終了ボタンからなる操作ボタン群１５０４を備える。
【０１１５】
図１２は、図１１の撮像画像一覧のＨＰのオプション印刷ボタンの押下により開始されるオプション印刷処理のフローチャートである。
【０１１６】
本処理は、図１１の撮影画像一覧のＨＰ１５００が携帯端末１３０に表示され、いずれかの選択ボックス１５０３にレ点が付されることによる選択、及びオプション印刷ボタンが押下されたときに、店舗管理サーバ１１０が行う処理である。
【０１１７】
まず、この撮影画像一覧ＨＰ１５００のいずれかの選択ボックス１５０３にレ点が打たれ撮影画像１５０１の選択があり（ステップＳ１００１でＹＥＳ）、且つ、操作ボタン群１５０４にある印刷オプションボタンの押下があると（ステップＳ１００２でＹＥＳ）、図１３に示すように、選択された撮影画像１５０１の下に、図８の店舗名記載部１４０２に記載されている当該店舗紹介ＨＰで紹介されている店舗名やこの店舗紹介ＨＰのＵＲＬ等の印刷オプションが印刷された形でデジタルフォトサービスによる印刷が行われる（ステップＳ１００３）。このとき同時に、当該デジタルフォトサービスの料金の一部をこの店舗紹介ＨＰで紹介されている店舗に課金する課金処理が行われ（ステップＳ１００９）、本処理を終了する。
【０１１８】
これによれば、撮影画像一覧ＨＰ１５００の操作ボタン群１５０４にある印刷オプションボタンが押されると（ステップＳ１００８）、選択された撮影画像１５０１がデジタルフォトサービスで印刷され（ステップＳ１００３）、且つ当該デジタルフォトサービスの料金の一部をこの店舗紹介ＨＰで紹介されている店舗に課金する課金処理が行われるので（ステップＳ１００４）、ＨＰ上に紹介されている店舗で撮影されたデジタル画像情報についてのデジタルフォトサービスでの印刷を低価格に行うことができる。
【０１１９】
次に、図８の店舗紹介ＨＰの作成及び更新について説明する。
【０１２０】
図１４は、図８の店舗紹介ＨＰ作成・更新処理のフローチャートである。
【０１２１】
図１４において、デジタルカメラ１５０’がステップＳ７００〜Ｓ７０５までの処理を行い、店舗管理サーバ１１０がステップＳ７１０〜Ｓ７２０の処理を行う。
【０１２２】
デジタルカメラ１５０’の行う処理はデジタルカメラ１５０がおこなってもよい。
【０１２３】
まず、デジタルカメラ１５０’にアクセス画面が表示され（ステップＳ７００）、このアクセス画面に従ってユーザＩＤ及びパスワードが入力されると（ステップＳ７０１でＹＥＳ）、このユーザＩＤ及びパスワードがデジタルカメラ１５０’から店舗管理サーバ１１０に送信される（ステップＳ７０２）。
【０１２４】
店舗管理サーバ１１０は、このユーザＩＤ及びパスワードを受信すると（ステップＳ７１０）、図９のユーザ登録処理で登録されたユーザＩＤ及びパスワードか否かを判別し（ステップＳ７１１）、その結果、ユーザ登録処理で登録されたユーザＩＤ及びパスワードでないときは、入力ミスと判断し、再入力の通知をデジタルカメラ１５０’に送信する（ステップＳ７１２）。
【０１２５】
デジタルカメラ１５０’は、この再入力通知を受信すると、再度ステップＳ７００からの処理を行う。
【０１２６】
一方、店舗管理サーバ１１０は、ステップＳ７１１の判別の結果、ユーザ登録処理で登録されたユーザＩＤ及びパスワードであるときは、ユーザ認証通知をデジタルカメラ１５０’に送信する（ステップＳ７１３）。
【０１２７】
このユーザ認証通知がデジタルカメラ１５０’で受信された後（ステップＳ７０３）、デジタルカメラ１５０’による撮影が行われると（ステップＳ７０４でＹＥＳ）、この撮影されたデジタル画像情報及びその位置を示す位置情報、並びにオプション情報からなる入力情報が店舗管理サーバ１１０に送信される（ステップＳ７０５）。この位置情報は、デジタルカメラ１５０’が有するＧＰＳ機能によって測定されたデータあり、また、このオプション情報は、所定の相手に居場所を知らせる居場所メールを送信するか否かを指定する送信指定情報や、居場所メールを送信する際の送信先メールアドレスや、居場所メールに添付する挨拶や撮影画像についてのコメント等が含まれる情報である。この居場所メールの送信処理は図１８で後述する。
【０１２８】
店舗管理サーバ１１０は、ステップＳ７０５で送信された入力情報を受信すると（ステップＳ７１４）、この入力情報にある位置情報に基づいて、店舗データファイル１１１に保存されている店舗を検索し、その結果、検索された店舗があるか否かを判別する（ステップＳ７１５）。
【０１２９】
ステップＳ７１５の判別の結果、１つの店舗も検索されなかったときは、未だ当該店舗は店舗登録がなされていないものである判断して図１７の新規店舗登録処理に進む（ステップＳ７１６）。
【０１３０】
一方、検索された店舗があったときは、複数の店舗が検索されたか否かを判別し（ステップＳ７１７）、複数の店舗が検索されたときは、撮影した店舗の入っているビル等に複数の店舗が存在していると判断して図１５の店舗選択処理に進む（ステップＳ７１８）。
【０１３１】
一方、ステップＳ７１７の判別の結果、複数の店舗は検索されず、一の店舗のみが検索されたときは、ユーザＩＤに基づいてユーザ情報ファイル１１２から検索されたユーザの店舗紹介ＨＰ用データにステップＳ７０５で送信されたデジタル画像情報を撮影画像として保存し、店舗紹介ＨＰを更新する（ステップＳ７１９）。このとき、当該店舗のデータが、検索されたユーザの店舗紹介ＨＰ用データにない場合は、新たにこの店舗についての店舗紹介ＨＰを作成する。
【０１３２】
次に、ステップＳ７１４で更新（作成）された店舗紹介ＨＰ用データと当該店舗の店舗専用ＨＰ１１００とのリンク情報を保存すると共に、このリンク情報をユーザの店舗紹介ＨＰにリンク付けし（ステップＳ７２０）、本処理を終了する。
【０１３３】
本処理によれば、デジタルカメラ１５０’で撮影があると（ステップＳ７０４でＹＥＳ）、撮影されたデジタル画像情報が店舗管理サーバ１１０に送信され（ステップＳ７０５）、店舗紹介ＨＰを更新又は作成するので（ステップＳ７１９）、デジタルカメラ１５０’により撮影したデジタル画像情報を容易に公開することができ、且つ保管することできる。
【０１３４】
さらに、店舗管理サーバ１１０がユーザＩＤ及びパスワードを受信し（ステップＳ７１０）、その受信したユーザＩＤ及びパスワードが登録されたものであれば（ステップＳ７１１でＹＥＳ）、本処理を行うことができるので、ユーザが撮像した店舗が、ユーザ登録を行うことが可能なクライアント端末として機能するデジタルカメラ１５０を所有していれば、ユーザはデジタルカメラ１５０’の持参することなくデジタルフォトサービスを受けることができる。
【０１３５】
図１５は、図１４のステップＳ７１８で実行される店舗選択処理のフローチャートである。
【０１３６】
店舗管理サーバ１１０がステップＳ８０１，Ｓ８０２の処理を行い、デジタルカメラ１５０がステップＳ８１０〜Ｓ８１３の処理を行う。
【０１３７】
尚、デジタルカメラ１５０が行う処理はデジタルカメラ１５０’が行ってもよい。
【０１３８】
まず、図１４のステップＳ７１７で検索された複数の店舗名が店舗候補データとして店舗管理サーバ１１０からデジタルカメラ１５０に送信される（ステップＳ８０１）。
【０１３９】
この店舗候補データがデジタルカメラ１５０で受信されると（ステップＳ８１０）、この店舗候補データに基づいて、店舗候補選択画面が表示される（ステップＳ８１１）。
【０１４０】
例えば、図１４のステップＳ７０４で「レストラン　×△○」が撮影されたとき、ステップＳ７１７でその位置情報から検索された店舗として、「レストラン×△○」以外に「スナック　ＡＢＣ」と「甲乙カラオケ」が検索されたとき、デジタルカメラ１５０には、図１６に示すような店舗候補選択画面が表示される。各店舗候補の左横には選択するとレ点が付される選択ボックスがあり、いずれか１つの店舗候補が選択されレ点が付されることにより店舗の選択が行われる。
【０１４１】
次に、デジタルカメラ１５０に上記店舗の選択が行われると（ステップＳ８１２でＹＥＳ）、この選択された店舗名がデジタルカメラ１５０から店舗管理サーバ１１０に送信される（ステップＳ８１３）。
【０１４２】
店舗管理サーバ１１０は、この選択された店舗名を受信すると（ステップＳ８０２）、図１４のステップＳ７１９に進み、受信した店舗名から検索された店舗の店舗紹介ＨＰの更新処理を行う。
【０１４３】
本処理によれば、同一の位置情報を有する複数の店舗が店舗データファイル１１１から検索されたとき、この検索された店舗名を店舗候補データとしてデジタルカメラ１５０に送信し（ステップＳ８０１）、デジタルカメラ１５０でこの送信された店舗データに基づいて一の店舗の選択がおこなわれ、が選択されると（ステップＳ８１２でＹＥＳ）、の選択された店舗の店舗紹介ＨＰの更新処理が行われるので、デジタルカメラ１５０で撮影した店舗と同一ビル内にある複数の店舗のデータが店舗データファイル１１１内に保存されているときであっても、確実且つ容易にこの撮影した店舗の店舗紹介ＨＰの更新を行うことができる。
【０１４４】
図１７は、図１４のステップＳ７１６で実行される新規店舗登録処理のフローチャートである。
【０１４５】
本処理は、店舗管理サーバ１１０がステップＳ９０１〜Ｓ９０５の処理を行い、地図サーバ１４０がステップＳ９１０〜Ｓ９１２の処理を行い、デジタルカメラ１５０がステップＳ９２０〜Ｓ９２３の処理を行う。
【０１４６】
尚、デジタルカメラ１５０が行う処理は、図１４の処理をデジタルカメラ１５０’が行っている場合はデジタルカメラ１５０’が行う。
【０１４７】
まず、店舗管理サーバ１１０は、図１４のステップＳ７１４でデジタルカメラ１５０から受信した位置情報を地図サーバ１４０に送信し（ステップＳ９０１）、デジタルカメラ１５０に図１４のステップＳ７０４で撮影した店舗名を問い合わせる問合情報を送信する（ステップＳ９０２）。
【０１４８】
地図サーバ１４０は、店舗管理サーバ１１０から位置情報を受信すると（ステップＳ９１０）、地図データファイル１４１から当該位置情報をキーにして地図データ及び住所を検索し（ステップＳ９１１）、検索された地図データ及び住所を店舗管理サーバ１１０に送信する（ステップＳ９１２）。
【０１４９】
一方、デジタルカメラ１５０は、店舗管理サーバ１１０から問合情報を受信すると（ステップＳ９２０）、撮影した店舗名の入力画面を有する問合画面を表示し（ステップＳ９２１）、撮影した店舗名の入力があると（ステップＳ９２２でＹＥＳ）、その入力された店舗名を店舗管理サーバ１１０に送信する（ステップＳ９２３）。
【０１５０】
店舗管理サーバ１１０は、地図サーバ１４０で検索された地図データ及び住所と、デジタルカメラ１５０で入力された店舗名とを受信すると（ステップＳ９０３でＹＥＳ）、これら受信した情報を店舗データファイル１１１に保存すると共に（ステップＳ９０４）、これらの情報に基づいて当該店舗の店舗専用ＨＰ１１００を作成した後（ステップＳ９０５）、図１４のステップＳ７１４に進み、受信した店舗の店舗紹介ＨＰの更新処理を行う。
【０１５１】
なお、ステップＳ９０３の処理の後、ステップＳ９０４の処理の前に、以下の処理を入れても良い。すなわち、地図データ、住所、及び店舗名を検索キーにして本店舗管理サーバ１１０以外の一般サイトから当該店舗自身が作成し運営するＨＰを検索して、そのＵＲＬへのリンク情報を図７の店舗ＨＰリンクボタン１４０２’と関連付けて、同ボタン１４０２’が押下された場合当該店舗自身が作成し運営するＨＰを表示するようにしても良い。このように構成することによって、本店舗管理サーバ１１０のＨＰでお気に入りの店を見つけた場合に容易にその店自身のＨＰをアクセスすることができる。
【０１５２】
本処理によれば、図１４の店舗紹介ＨＰ更新処理のステップＳ７１５で、１つの店舗も検索されなかったとき、デジタルカメラ１５０からの入力情報（図１４のステップＳ７１４）にある位置情報を地図サーバ１４０に送信した後（ステップＳ９０１）、地図サーバ１４０で検索された地図データ及び住所、及びデジタルカメラ１５０で入力された店舗名を受信すると（ステップＳ９０３でＹＥＳ）、これらの受信した情報に基づいて当該店舗の店舗専用ＨＰ１１００を作成するので（ステップＳ９０５）、デジタルカメラ１５０で撮影した店舗が未だ店舗データファイル１１１内に保存されていないときであっても、確実且つ容易にこの撮影した店舗の店舗紹介ＨＰの更新を行うことができる。
【０１５３】
図１８は、図１４のステップＳ７１４で入力情報を受信したときに店舗管理サーバ１１０が行う居場所メール送信処理のフローチャートである。
【０１５４】
まず、受信した入力情報にあるオプション情報から、居場所メールを送信するか否かを指定する送信指定情報を読取り（ステップＳ７２１）、その結果、送信しないことが指定されているときはそのまま本処理を終了する。
【０１５５】
一方、ステップＳ７２１の判別の結果、送信することが指定されているときは、後述する図１９の居場所メールを作成する（ステップＳ７２２）。
【０１５６】
図１９は、図１８のステップＳ７２２で作成される居場所メールを示す図である。
【０１５７】
図１９において、居場所メール１３は、送信先に対する挨拶を記載するヘッダ部１３００、ユーザの居場所が記載される居場所記載部１３０１、撮影画像についてのコメントを記載するコメント記載部１３０２、当該店舗の地図データを添付する地図添付部１３０３、及び図１４のステップＳ７０２の撮影画像を添付する画像添付部１３０４を備える。
【０１５８】
ヘッダ部１３００は、オプション情報の１つとして図１４のステップＳ７０５でデジタルカメラ１５０に入力される送信先に対する挨拶を記載する。
【０１５９】
コメント記載部１３０２は、オプション情報の１つとして図１４のステップＳ７０５でデジタルカメラ１５０に入力されるコメントを記載する。
【０１６０】
従って、居場所メールを携帯端末１６０の所有者である「○△子」さんに送信する場合は、このヘッダ部１３００に例えば「○△子、元気？Ａ山Ｂ子です。」という挨拶が記載され、コメント記載部１３０２に「１４：３０に来てね！下の写真はその入り口だよ。」というコメントが記載されるよう図１４のステップＳ７０５の入力情報のオプション情報が入力される。
【０１６１】
居場所記載部１３０１は、図１４のステップＳ７１４で更新された店舗名及びその住所を記載する。
【０１６２】
地図添付部１３０３は、図１４のステップＳ７１４で更新された店舗の地図データとして店舗データファイル１１１に保存されているものを記載する。
【０１６３】
図１８に戻り、上記のように作成された居場所メールをオプション情報の一つである送信先メールアドレスに送信して（ステップＳ７２３）、本処理を終了する。
【０１６４】
本処理によれば、居場所メールを送信することが指定されているときは（ステップＳ７２１でＹＥＳ）、デジタルカメラ１５０で撮影されたデジタル画像情報が添付され、且つオプション情報として入力された送付先への挨拶やコメントが記載された居場所メールを作成し（ステップＳ７２２）、この作成された居場所メールをオプション情報の一つである送信先メールアドレスに送信するので（ステップＳ７２３）、人との待ち合わせをスムーズに行うことができるメールを容易に作成することができる。
【０１６５】
次に第２の実施の形態に係る店舗情報システムを図面を用いて詳説する。
【０１６６】
図２０は、本発明の第２の実施の形態に係る店舗情報システムのシステム構成を示す図である。
【０１６７】
第２の実施の形態に係る店舗情報システム１００’は、基本的に第１の実施の形態に係る店舗情報システム１００と同じ構成を有するが、店舗管理サーバ１１０が電話番号ＤＢファイル１１３をさらに有する点で異なる。
【０１６８】
また、第２の実施の形態における店舗紹介ＨＰ更新処理は、第１の実施の形態における店舗紹介ＨＰ更新処理（図１４）と異なり、店舗データファイル１１１に保存されている店舗を検索するのではなく（図１４のステップＳ７１５）、電話帳に記載されているすべての店舗名、住所、電話番号を記憶する電話番号ＤＢファイル１１３に保存されている店舗を検索する点、及び第１の実施の形態における新規店舗登録処理（図１７）も行わない点でも異なる。
【０１６９】
本実施の形態によれば、ステップＳ７１５の店舗の名称の検索は電話番号データベース１１３を用いて行われるので、１つの店舗も検索されないということは起こらず、その結果、撮影したデジタル画像情報を確実に店舗紹介ホームページに更新することができる。
【０１７０】
なお、本発明の目的は、前述した実施の形態の機能を実現するソフトウェアのプログラムコードを記録した記憶媒体（または記録媒体）を、システム又は装置に供給し、そのシステム又は装置のコンピュータ（またはＣＰＵ２１やＭＰＵ）が記憶媒体に格納されたプログラムコードを読み出し実行することによっても、達成されることは言うまでもない。
【０１７１】
この場合、記憶媒体から読み出されたプログラムコード自体が前述した実施の形態の機能を実現することになり、そのプログラムコードを記憶した記憶媒体は本発明を構成することになる。また、コンピュータが読み出したプログラムコードを実行することにより、前述した実施の形態の機能が実現されるだけでなく、そのプログラムコードの指示に基づき、コンピュータ上で稼働しているオペレーティングシステム（ＯＳ）などが実際の処理の一部または全部を行い、その処理によって前述した実施の形態の機能が実現される場合も含まれることは言うまでもない。
【０１７２】
さらに、記憶媒体から読み出されたプログラムコードが、コンピュータに挿入された機能拡張カードやコンピュータに接続された機能拡張ユニットに備わる記憶媒体に書込まれた後、そのプログラムコードの指示に基づき、その機能拡張カードや機能拡張ユニットに備わるＣＰＵ２１などが実際の処理の一部または全部を行い、その処理によって前述した実施の形態の機能が実現される場合も含まれることは言うまでもない。
【０１７３】
又、本発明の目的は、前述した実施の形態の機能を実現するソフトウェアのプログラムコードがネットワークを介して配信されることにより、システム又は装置のハードディスク２８やメモリ等の記憶手段又はＣＤ−ＲＷやＣＤ−Ｒ等の記憶媒体に格納され、そのシステム又は装置のコンピュータ（またはＣＰＵ２１やＭＰＵ）が当該記憶手段や当該記憶媒体に格納されたプログラムコードを読み出し実行することによっても、達成されることは言うまでもない。
【０１７４】
【発明の効果】
以上詳細に説明したように、請求項１記載のホームページ作成サーバ、請求項９記載のホームページ作成方法、及び請求項１７記載のプログラムによれば、一の店舗の住所と同一地域内にある他の店舗専用のホームページを既に作成しているときは、一の店舗専用のホームページにおいて他の店舗専用のホームページとのリンク情報を更新するので、特定地域の特定カテゴリの店舗を網羅的にカバーする複数の店舗ＨＰを効率的に作成することができる。
【０１７５】
請求項２記載のホームページ作成サーバ、請求項１０記載のホームページ作成方法、及び請求項１８記載のプログラムによれば、撮像機能を有する他のクライアント端末から撮像された店舗のデジタル画像情報を受信し、当該撮像された店舗のデジタル画像情報を含む店舗紹介用のホームページを作成するので、クライアント端末として機能するデジタルカメラにより撮影したデジタル画像情報を容易に公開することができ、且つ保管することできる。
【０１７６】
請求項３記載のホームページ作成サーバ、請求項１１記載のホームページ作成方法、及び請求項１９記載のプログラムによれば、他のクライアント端末はユーザ登録されたものであるので、ユーザが撮像した店舗が、ユーザ登録を行うことが可能なクライアント端末として機能するデジタルカメラを所有していれば、ユーザはデジタルカメラの持参することなくデジタルフォトサービスを受けることができる。
【０１７７】
請求項４記載のホームページ作成サーバ、請求項１２記載のホームページ作成方法、及び請求項２０記載のプログラムによれば、デジタルフォトサービスにより店舗紹介用のホームページに含まれるデジタル画像情報と一緒にオプションを印刷するときにデジタルフォトサービスの料金の一部を店舗紹介用のホームページを作成するために撮像された店舗に課金するので、ホームページ上に紹介されている店舗で撮影されたデジタル画像情報についてのデジタルフォトサービスでの印刷を低価格に行うことができる。
【０１７８】
請求項５記載のホームページ作成サーバ、請求項１３記載のホームページ作成方法、及び請求項２１記載のプログラムによれば、デジタルフォトサービスでデジタル画像情報と一緒に印刷されるオプションは、撮像された店舗の名称や当該店舗専用のホームページのＵＲＬを含むので、上記効果を確実に奏することができる。
【０１７９】
請求項６記載のホームページ作成サーバ、請求項１４記載のホームページ作成方法、及び請求項２２記載のプログラムによれば、他のクライアント端末で撮像された店舗のデジタル画像情報と、この撮像時に当該撮像した位置情報とを受信し、この受信した位置情報に対応する前記撮像された店舗の近辺の地図画像情報及びその住所を検索し、さらにこの検索された住所に対応する店舗の名称を検索するので、クライアント端末からホームページ作成サーバに撮像した店舗の名称を送信しなくても店舗紹介ホームページを作成することができる。
【０１８０】
請求項７記載のホームページ作成サーバ、請求項１５記載のホームページ作成方法、及び請求項２３記載のプログラムによれば、他のクライアント端末から受信した位置情報に対応する住所を検索すると、電話帳に記載されている全ての店舗の名称、住所、電話番号を記憶する電話番号データベースからこの検索された住所に対応する店舗の名称を検索するので、１つの店舗も検索されないということは起こらず、その結果、撮影したデジタル画像情報を確実に店舗紹介ホームページに更新することができる。
【０１８１】
請求項８記載のホームページ作成サーバ、請求項１６記載のホームページ作成方法、及び請求項２４記載のプログラムによれば、他のクライアント端末に入力されたメールオプションを受信すると、この受信したメールオプションにある送信指定に基づき前記メールを送信するか否かを判別し、その判別の結果、メールを送信すると判別したとき、受信したメールオプションにある挨拶やコメントと、検索された店舗近辺の地図画像情報及びその住所と、検索された店舗の名称と、撮像されたデジタル画像情報とを含むメールを、受信したメールオプションにある送信先に送信するので、人との待ち合わせをスムーズに行うことができるメールを容易に作成することができる。
【図面の簡単な説明】
【図１】本発明の第１の実施の形態に係る店舗情報システムのシステム構成を示す図である。
【図２】図１における店舗管理サーバ１１０のハードウェア構成を示す図である。
【図３】図１における地図サーバ１４０のハードウェア構成を示す図である。
【図４】図１における携帯端末１３０のハードウェア構成を示す図である。
【図５】本発明の第１の実施の形態に係る店舗専用ＨＰ作成処理のフローチャートである。
【図６】図５の処理により作成される店舗専用ＨＰを示す図である。
【図７】店舗紹介ＨＰを示す図である。
【図８】図７の店舗紹介ＨＰ表示処理のフローチャートである。
【図９】ユーザ登録処理のフローチャートである。
【図１０】図９のステップＳ６０５で作成されるユーザ登録ＨＰを示す図である。
【図１１】図７のユーザ専用店舗紹介ＨＰの画像編集ボタンの押下により表示される撮影画像一覧のＨＰを示す図である。
【図１２】図１１の撮像画像一覧のＨＰのオプション印刷ボタンの押下により開始されるオプション印刷処理のフローチャートである。
【図１３】図１２のオプション印刷処理におけるデジタルフォトサービスによる印刷物を示す図である。
【図１４】図８の店舗紹介ＨＰ作成・更新処理のフローチャートである。
【図１５】図１４のステップＳ７１８で実行される店舗選択処理のフローチャートである。
【図１６】図１５のステップＳ８１１で表示される店舗候補選択画面を示す図である。
【図１７】図１４のステップＳ７１６で実行される新規店舗登録処理のフローチャートである。
【図１８】図１４のステップＳ７１４で入力情報を受信したときに店舗管理サーバ１１０が行う居場所メール送信処理のフローチャートである。
【図１９】図１８のステップＳ７２２で作成される居場所メールを示す図である。
【図２０】本発明の第２の実施の形態に係る店舗情報システムのシステム構成を示す図である。
【図２１】図６の店舗専用ＨＰ１１００の同カテゴリ一覧ボタン１１０８の押下により開始される同一カテゴリ一覧を示す図である。
【符号の説明】
１００，１００’　店舗情報システム
１１０　店舗管理サーバ
１１１　店舗データファイル
１１２　ユーザ情報ファイル
１２０　店舗側端末
１３０　携帯端末
１４１　地図データファイル
１４０　地図サーバ
１５０，１５０’　デジタルカメラ
１６０　携帯端末
１７０　インターネット
【図１】
2004070801.tif 000003
【図２】
2004070801.tif 000004
【図３】
2004070801.tif 000005
【図４】
2004070801.tif 000006
【図５】
2004070801.tif 000007
【図６】
2004070801.tif 000008
【図７】
2004070801.tif 000009
【図８】
2004070801.tif 000010
【図９】
2004070801.tif 000011
【図１０】
2004070801.tif 000012
【図１１】
2004070801.tif 000013
【図１２】
2004070801.tif 000014
【図１３】
2004070801.tif 000015
【図１４】
2004070801.tif 000016
【図１５】
2004070801.tif 000017
【図１６】
2004070801.tif 000018
【図１７】
2004070801.tif 000019
【図１８】
2004070801.tif 000020
【図１９】
2004070801.tif 000021
【図２０】
2004070801.tif 000022
【図２１】
2004070801.tif 000023